Podtech/llm-jp-corpus-v4-ja_patent huggingface dataset:
【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
周囲表面内に不均一に配置された複数の島状部(42、120)を備える周辺表面(41)を有する化粧用のデバイス(40)であって、前記複数の島状部(42、120)が各々、少なくとも0.8mmの最大寸法を有し、外観が前記表面上の前記複数の島状部(42、120)の配置構成に関係しているパターンの皮膚上での生成をもたらすために、前記周囲表面の形状もしくは性質、またはその両方と異なる、皮膚上に存在するか皮膚に塗布しようとする製品を取るか、若しくは解放するか、またはその両方を行うための形状もしくは性質、またはその両方を有する、デバイス(40)。
【請求項２】
前記複数の島状部(42、120)は、起伏していて前記周囲表面に対して突き出ているか、若しくは、前記周囲表面の物理化学的性質と異なる物理化学的性質を有するか、又は、その両方である、請求項1に記載のデバイス(40)。
【請求項３】
前記複数の島状部(42)が、前記周囲表面に対して移動可能な複数のピン(42)を用いて画定され、前記移動可能な複数のピン(42)が、特に電気的に駆動されたアクチュエータによって画定される、請求項1または2に記載のデバイス(40)。
【請求項４】
前記島状部が、皮膚に転写可能な製品の粒状体によって、若しくは、液体によって、又は、その両方によって画定される、請求項1または2に記載のデバイス(40)。
【請求項５】
2mm以上、特に3mm以上の最大寸法を有する島状部(42、120)を備える、請求項1から4のいずれか一項に記載のデバイス(40)。
【請求項６】
0.8mmから2mmの間の最大寸法を有する島状部(42、120)と、2mmよりも大きく3mm以下の最大寸法を有する島状部(42、120)と、3mmよりも大きく5mm以下の最大寸法を有する島状部(42、120)とを同時に備える、請求項1から5のいずれか一項に記載のデバイス(40)。
【請求項７】
0.8mmから2mmの間の最大寸法を有する島状部(42、120)の数が、2mmよりも大きく3mm以下の最大寸法を有する島状部(42、120)の数よりも多く、3mmよりも大きく5mm以下の最大寸法を有する島状部(42、120)の数よりも多い、請求項1から6のいずれか一項に記載のデバイス(40)。
【請求項８】
円形輪郭の島状部(42、120)、若しくは非円形輪郭の島状部(42、120)、又はその両方を備え、特に、円形輪郭の島状部(42、120)の数は、非円形輪郭の前記島状部(42、120)の数よりも多い、請求項1から7のいずれか一項に記載のデバイス(40)。
【請求項９】
接触している島状部(42、120)と、分離している島状部(42、120)とを備える、請求項1から8のいずれか一項に記載のデバイス(40)。
【請求項１０】
隣接する複数の島状部(42、120)を備え、前記隣接する複数の島状部(42、120)の間の間隔(d)が2mm以上である、請求項1から9のいずれか一項に記載のデバイス(40)。
【請求項１１】
請求項1から10のいずれか一項に記載のデバイス(40)と、前記デバイス(40)を用いて皮膚(P)に塗布されることを目的とするメイクアップ製品(1)とを備えるアセンブリ(80)。
【請求項１２】
請求項1から10のいずれか一項に記載のデバイス(40)と、前記表面上に島状部を作製するための主面、特に、製品を充填したいくつかの区域および製品を充填していない他の区域を有する主面とを備えるキット(80)。
【請求項１３】
皮膚(P)をメイクアップするための方法であって、皮膚(P)上に存在する製品を移動するか、もしくは取るか、またはその両方を行うステップを含むか、或いは、複数の可視区域(2)を作製するために請求項1から10のいずれか一項に記載のデバイス(40)を用いて製品を皮膚(P)に塗布するステップを含むか、またはその両方のステップを含み、前記複数の可視区域(2)の分布が前記周辺表面(41)上での前記島状部(42、120)の分布に対応し、特に、ファンデーション(1)の皮膚(P)への事前の塗布を含み、前記複数の可視ゾーン区域(2)がファンデーション(1)の堆積物上に作製される方法。
【請求項１４】
前記複数の可視ゾーン(2)が皮膚(P)への製品の塗布によって作製され、前記製品が、好ましくは、赤色の染料を含む、請求項13に記載の方法。
【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
呼気中の成分を測定する装置であって、前記装置は、
呼気を取り入れる入口（３２）と、
バッファ・チャンバ（３１）と、
前記入口と流体連通し、呼気の第１の分割部分（Ｉ’）を前記バッファ・チャンバに導入するように適合された第１の流体導管（３４ａ）であって、前記バッファ・チャンバが、前記第１の流体導管から取り入れた呼気の第１の部分を廃棄する出口（３７）を備え、前記バッファ・チャンバが、前記第１の流体導管から取り入れた呼気の第２の部分をバッファするように構成されている、前記第１の流体導管と、
前記入口と流体連通し、呼気の第２の分割部分（Ｉ’’）を廃棄せしめるように適合された第２の流体導管（３４ｂ）と、
前記バッファ・チャンバ内にバッファされた呼気中の成分を測定するためのセンサ（６３）と
を備え、
前記装置は、分岐壁（３９）をさらに備え、前記分岐壁は、前記入口の中に配置され、前記第１の流体導管を前記第２の流体導管から分離するように適合されている、装置。
【請求項２】
前記第１の流体導管が、前記第１の流体導管内の流れ方向に対して垂直の第１の流れ断面積（Ａ１）を有し、及び前記第２の流体導管が、前記第２の流体導管内の流れ方向に対して垂直の第２の流れ断面積（Ａ２）を有し、及び前記第２の流れ断面積が、前記第１の流れ断面積よりも大きい、請求項１に記載の装置。
【請求項３】
前記第１の流れ断面積が、前記第２の流れ断面積の０．５倍の面積、及び前記第２の流れ断面積の０．３倍の面積のうちの少なくとも１つに該当する、請求項２に記載の装置。
【請求項４】
前記バッファ・チャンバが、バッファ導管を備え、及び前記出口が、前記入口又は前記第１の流体導管に対して前記バッファ導管の遠位部分に配置されている、請求項１から３までのいずれか一項に記載の装置。
【請求項５】
前記バッファ導管が、前記バッファ導管の長さの１／５、前記バッファ導管の長さの１／１０、前記バッファ導管の長さの１／２０、前記バッファ導管の長さの１／５０、前記バッファ導管の長さの１／７０、又は前記バッファ導管の長さの１／１００未満の長さを有する、前記バッファ導管内の流れ方向に対して垂直の断面寸法（ｄ１）を有する、請求項４に記載の装置。
【請求項６】
前記バッファ・チャンバが、少なくとも１つの蛇行又はＳ字形状を有するバッファ導管を備える、請求項４又は５に記載の装置。
【請求項７】
少なくとも１つの蛇行又はＳ字形状を有する前記バッファ導管の隅部が、丸められた内部隅部を有する、請求項６に記載の装置。
【請求項８】
調整部材（３９’；７０）を備える、請求項１から７までのいずれか一項に記載の装置。
【請求項９】
置き換え可能な調整部材（７０）を備える、請求項８に記載の装置。
【請求項１０】
前記調整部材が、調整可能な分岐壁（３９’）である、請求項８に記載の装置。
【請求項１１】
前記バッファ・チャンバが、第１のチェック・バルブ（３５ａ）をさらに備え、前記第１のチェック・バルブ（３５ａ）は、好ましくは前記出口（３７）に置かれ、吸入期間中に、流体が、前記バッファ・チャンバ内に進入するのを阻止するようになっている、請求項１から１０までのいずれか一項に記載の装置。
【請求項１２】
吸入期間中に、流体が、前記第２の流体導管内に進入するのを阻止するように、前記第２の流体導管内に置かれた第２のチェック・バルブ（３５ｂ）をさらに備える、請求項１から１１までのいずれか一項に記載の装置。
【請求項１３】
呼気を前記バッファ・チャンバから前記センサにポンプ搬送するように適合されたポンプ（６１）をさらに備える、請求項１から１２までのいずれか一項に記載の装置。
【請求項１４】
呼気中の前記成分が、ＮＯの量である、請求項１から１３までのいずれか一項に記載の装置。
【請求項１５】
前記センサが、電気化学センサである、請求項１から１４までのいずれか一項に記載の装置。
【請求項１６】
前記センサが、５秒を超える又は５〜１５秒の範囲の応答時間を有するセンサである、請求項１から１５までのいずれか一項に記載の装置。
【請求項１７】
呼気中の成分の濃度を測定する方法であって、前記方法は、
呼気を取り入れるステップと、
呼気の第１の分割部分（Ｉ’）を、第１の流体導管を通じてバッファ・チャンバに導入するステップと、
呼気の第２の分割部分（Ｉ’’）を、第２の流体導管を通じて廃棄せしめるステップと、
前記バッファ・チャンバから、前記第１の流体導管から取り入れた呼気の前記第１の分割部分（Ｉ’）の第１の部分を廃棄するステップと、
前記バッファ・チャンバ内において、前記第１の流体導管から取り入れた呼気の前記第１の分割部分（Ｉ’）の第２の部分をバッファするステップと、
前記バッファ・チャンバ内にバッファされた呼気中の成分の濃度を測定するステップと
を含み、
前記呼気の前記第１の分割部分は、分岐壁によって、前記呼気の前記第２の分割部分から連続的に分離される、呼気中の成分の濃度を測定する方法。
【請求項１８】
前記第１及び第２の流体導管それぞれへの流体の流れを調整するステップを含む、請求項１７に記載の方法。
【請求項１９】
前記呼気を測定する装置が、調整部材を備え、及び前記流体の流れを調整するステップが、前記調整部材を調整するステップを含む、請求項１８に記載の方法。
【請求項２０】
前記呼気を測定する装置が、置き換え可能な調整部材を備え、及び前記流体の流れを調整するステップが、前記調整部材を置き換えるステップを含む、請求項１８に記載の方法。
【請求項２１】
前記調整部材が、分岐壁（３９’）であり、前記調整部材を調整するステップが、前記分岐壁を調整するステップを含む、請求項１９に記載の方法。
【手続補正書】
【提出日】平成27年12月16日(2015.12.16)
【手続補正１】
【補正対象書類名】特許請求の範囲
【補正対象項目名】全文
【補正方法】変更
【補正の内容】
【特許請求の範囲】
【請求項１】
治療装置を準備する方法であって、
手元に用意されている種々のフロントエンドから１つのフロントエンドを選択するステップと、
処方せんを前記選択したフロントエンドに入力するステップと、
前記治療装置に入力された処方せんから、前記治療装置によって読み取ることができ、次に治療のシーケンスをプログラムする段階リストを作成するステップとを含む、方法。
【請求項２】
前記複数のフロントエンドは、少なくとも１つの特徴が複数の特徴とは異なっており、前記特徴は、治療装置の形式、治療の目的、治療の場所及び／又はフロントエンドのユーザを含むのが良い、請求項１記載の方法。
【請求項３】
前記段階リストは、前記治療装置に送信される、請求項１又は２記載の方法。
【請求項４】
前記段階リストは、通信段階を含む、請求項１〜３のうちいずれか一に記載の方法。
【請求項５】
前記通信段階中、情報を前記治療装置から出力したり前記治療装置に入力したりすることができる、請求項４記載の方法。
【請求項６】
前記情報は、テキスト、音響的情報又は視覚的情報を含む、請求項５記載の方法。
【請求項７】
前記治療シーケンスは、医療レポートの作成を含む、請求項１〜６のうちいずれか一に記載の方法。
【請求項８】
図形記号を選択することによって処方せんが前記選択したフロントエンドに入力される、請求項１〜７のうちいずれか一に記載の方法。
【請求項９】
パラメータキー及びパラメータ値を前記フロントエンドに入力することができ、前記パラメータ値は、変数、即ち、時間、容量、濃度、活性成分、温度、導電率、圧力、流量又はテキストのうちの少なくとも１つを含むのが良い、請求項１〜８のうちいずれか一に記載の方法。
【請求項１０】
パラメータキーは、標準化医療検査を記述する、請求項９記載の方法。
【請求項１１】
前記標準化医療検査は、ＰＥ検査である、請求項１０記載の方法。
【請求項１２】
前記フロントエンドは、入力された前記処方せんが患者の健康を脅かすかどうかについてチェックする、請求項１〜１１のうちいずれか一に記載の方法。
【請求項１３】
前記フロントエンドは、前記処方せんに記載された治療をシミュレートするよう装備されている、請求項１〜１２のうちいずれか一に記載の方法。
【請求項１４】
前記治療装置は、血液治療装置である、請求項１〜１３のうちいずれか一に記載の方法。
【請求項１５】
前記血液治療装置は、自動腹膜透析用の器械である、請求項１４記載の方法。
【請求項１６】
治療装置を制御する装置であって、マイクロプロセッサユニット、入力装置、外部記憶媒体又は治療装置と技術的データ伝送可能なインターフェースを有し、前記マイクロプロセッサユニット、前記入力装置及び前記インターフェースは、技術的データ伝送可能に相互に接続されている、装置において、
前記マイクロプロセッサユニットは、以下の方法ステップ、即ち、
前記入力装置の助けにより、手元に用意された複数のフロントエンドから前記治療及び前記治療装置のための特定のフロントエンドを選択するステップと、
前記入力装置の助けにより処方せんを前記選択したフロントエンドに入力し又は処方せんを前記選択したフロントエンドから選択するステップと、
入力した前記処方せんから、前記治療装置によって読み取ることができ、次に治療のシーケンスをプログラムする段階リストを作成するステップとを含む方法を実施するようにプログラムされている、装置。
【請求項１７】
治療装置及び前記治療装置を制御する装置を含むシステムであって、前記治療装置を制御する前記装置は、マイクロプロセッサユニット、入力装置、外部記憶媒体又は治療装置と技術的データ伝送可能なインターフェースを有し、前記マイクロプロセッサユニット、前記入力装置及び前記インターフェースは、技術的データ伝送可能に相互に接続されている、システムにおいて、
前記マイクロプロセッサユニットは、以下の方法ステップ、即ち、
前記入力装置の助けにより、手元に用意された複数のフロントエンドから前記治療及び前記治療装置のための特定のフロントエンドを選択するステップと、
前記入力装置の助けにより処方せんを前記選択したフロントエンドに入力し又は処方せんを前記選択したフロントエンドから選択するステップと、
入力した前記処方せんから、前記治療装置によって読み取ることができ、次に治療のシーケンスをプログラムする段階リストを作成するステップとを含む方法を実施するためにプログラムされている、システム。
【請求項１８】
前記治療装置は、血液治療装置である、請求項１６又は１７記載の装置。
【請求項１９】
前記血液治療装置は、自動腹膜透析用の器械である、請求項１８記載の装置。
【請求項２０】
コンピュータプログラム製品であって、記憶媒体と、前記記憶媒体上に記憶されていて、前記コンピュータプログラム製品をマイクロプロセッサ上で作動させると、請求項１〜１５のうちいずれか一に記載の方法を実施するコンピュータプログラムとから成る、コンピュータプログラム製品。
【手続補正書】
【提出日】平成27年12月2日(2015.12.2)
【手続補正１】
【補正対象書類名】特許請求の範囲
【補正対象項目名】全文
【補正方法】変更
【補正の内容】
【特許請求の範囲】
【請求項１】
内側表面、外側表面、第１端部及び第２端部を有し、前記内側表面が低摩擦材料によって少なくとも部分的に被覆される可撓性チューブを含む、物品。
【請求項２】
前記可撓性チューブの前記第１端部及び前記第２端部が、閉じたチューブを形成するように接合される、請求項１に記載の物品。
【請求項３】
伸張状態で管状支持コア上に配置される常温収縮スリーブであって、前記常温収縮スリーブの少なくとも一部が、前記常温収縮スリーブの少なくとも一部が前記常温収縮スリーブの別の部分と重複するように折り畳まれ、請求項１に記載の物品が、前記常温収縮スリーブの重複部分同士の間に位置付けられる、常温収縮スリーブを含む、物品。
【手続補正書】
【提出日】平成27年12月1日(2015.12.1)
【手続補正１】
【補正対象書類名】明細書
【補正対象項目名】００２８
【補正方法】変更
【補正の内容】
【００２８】
基本動作の非限定的な例を以下に示す。
基本動作Ｐ１（ＮＯＮＥ）  薬剤を収容する長尺状の容器３が、ロボット３によって、主要な軸線Ｈと平行な第１の方向Ｄ１と、第１の方向Ｄ１に垂直な第２の方向Ｄ２と、から構成される軌道に沿って振り動かされる。上記の並進運動の間に、旋回運動ないし回転運動が容器３にさらに加えられることはない（図３ａを参照）。
【手続補正２】
【補正対象書類名】明細書
【補正対象項目名】００３０
【補正方法】変更
【補正の内容】
【００３０】
基本動作Ｐ３（ＳＷＥＥＰ＿ＣＹＬＩＮＤＥＲ）：容器の軸線Ｈが、円筒体の面上に位置する軌道Ｄ４に沿って移動する（図３ｃを参照）。回転する容器の角速度が、一定若しくは正弦波状にされうるか、又は鋸刃状のプロファイルを有しうる。円筒体が完全にスイープされるか、又は所定の円弧（０°〜３６０°）に制限される。
【手続補正３】
【補正対象書類名】特許請求の範囲
【補正対象項目名】全文
【補正方法】変更
【補正の内容】
【特許請求の範囲】
【請求項１】
１つの軸線（Ｈ）に沿った長尺状であり粉末状の薬剤（４）及び希釈剤（５）を収容する容器（３）を担持する可動要素を備えたロボット（２）の制御方法であって、
前記ロボット（２）は、前記容器を撹拌することによって、粉末状の薬剤を希釈剤に完全に溶解させる再調製工程を実行できるように構成され、
前記制御方法が、
再調製工程の対象となる薬剤を示すデータを導入するユーザインタフェース（２２）を用意し、
前記再調製工程において使用される基本動作Ｐ１，Ｐ２，・・Ｐｉ，・・Ｐｎのリストを、選択された薬剤について出力する内部データベースＤＢに、導入されたデータに基づいてアクセスすることを含み、
前記基本動作の各々は、手動による再調製の下で実施された動作を模擬する所定の単純な動作を三次元の空間において定義する既定の軌道に従って前記容器を移動させるための、前記ロボット向けの電子化された命令を含み、
さらに、
出力された前記基本動作が順次実行されるように前記ロボット（２）を操作して、前記容器（３）を前記基本動作の命令に従って移動させ、
ロボット動作の下で前記容器が移動する間に、前記空間における前記容器（３）の物理的な位置及び前記容器（３）の動的パラメータを測定して、登録されたデータのリストを作成し、
測定された前記空間における位置及び動的パラメータを、対応する前記基本動作の位置及び動的パラメータと比較して、十分な近似レベルが達成される場合には、適格な基本動作のリストを選択し、
選択された適格な基本動作を合成することによって、前記単純な動作を包含する複雑な動作を可能にする命令を前記ロボット向けに生成し、
前記ロボット（２）を使用して、前記空間において移動される前記容器を前記複雑な動作に従って振り動かすことを含むことを特徴とする、制御方法。
【請求項２】
前記データベースＤＢが制約事項のリストを前記基本動作の各々について提供する、請求項１に記載の制御方法。
【請求項３】
前記基本動作が順次実行されるように前記ロボット（２）を操作する前に、任意の選択された基本動作に関する複数の運動パラメータの定義付けが実行され、
さらに、
前記近似レベルが達成されない場合に前記運動パラメータを修正し、
前記基本動作が実行されるように、更新済みの運動パラメータで前記ロボットを操作することを含む、請求項１または２に記載の制御方法。
【請求項４】
前記基本動作のリストが、基本動作Ｐ１（ＮＯＮＥ）、基本動作Ｐ２（ＳＷＥＥＰ＿ＣＯＮＥ）、基本動作Ｐ３（ＳＷＥＥＰ＿ＣＹＬＩＮＤＥＲ）、基本動作Ｐ４（ＣＵＳＴＯＭ）、及び基本動作Ｐ５（ＰＥＮＤＵＬＵＭ＿ＡＸＩＳ）のうちの２つ又は３つ以上から構成され、
前記基本動作Ｐ１（ＮＯＮＥ）では、薬剤を収容する長尺状の前記容器（３）が、前記ロボット（２）によって、前記容器（３）の主要な軸線Ｈと平行な第１の方向Ｄ１と、第１の方向Ｄ１に垂直な第２の方向Ｄ２と、から構成される軌道に沿って振り動かされ、第１の方向Ｄ１及び第２の方向Ｄ２に沿った並進運動の間に、旋回運動ないし回転運動が前記容器（３）にさらに加えられることはなく、
前記基本動作Ｐ２（ＳＷＥＥＰ＿ＣＯＮＥ）では、前記容器の軸線Ｈが、錐体の面上に位置する軌道に沿って移動し、回転する前記容器３の角速度が、一定若しくは正弦波状にされることができるか又は鋸刃状のプロファイルを有することができ、前記錐体が、完全にスイープされるか又は所定の円弧（０°〜３６０°）に限定され、
前記基本動作Ｐ３（ＳＷＥＥＰ＿ＣＹＬＩＮＤＥＲ）では、前記容器の軸線Ｈが、円筒体の面上に位置する軌道に沿って移動し、回転する前記容器の角速度が、一定若しくは正弦波状にされることができるか又は鋸刃状のプロファイルを有することができ、前記円筒体が完全にスイープされるか又は所定の円弧（０°〜３６０°）に限定され、
前記基本動作Ｐ４（ＣＵＳＴＯＭ）では、前記容器の軸線Ｈが、三次元空間において定義された特製のパラメトリック面上に位置する軌道に沿って移動し、
前記基本動作Ｐ５（ＰＥＵＤＵＬＵＭ＿ＡＸＩＳ）では、軸線Ｈが、可変の平面において振子式の回転運動をさせられ、前記容器３が、一定若しくは正弦波状にされうるか又は鋸刃状のプロファイルに追随しうる角速度の影響を受けることができ、前記ロボットの回転軸線の周りの回転運動が、所定の円弧（０°〜３６０°）に限定されることができる、請求項１〜３のいずれか１つに記載の制御方法。
【請求項５】
制約事項には、
前記ロボット（２）の部材又は前記容器（３）が再調製フェーズの間に越えてはならない限界位置を示す制約事項、
前記ロボット（２）の部材又は前記容器（３）が再調製フェーズの間に超過してはならない最大速度値、
前記ロボット（２）の部材又は前記容器（３）が再調製フェーズの間に超過してはならない最大傾斜角度、及び
前記ロボット（２）の部材又は前記容器（３）が再調製フェーズの間に超過してはならない最大加速度値、のうちの１つ又は２つ以上が含まれる、請求項２に記載の制御方法。
【請求項６】
前記基本動作が設定フェーズにおいて生成され、
前記設定フェーズでは、
熟練した作業者が既定の手順に従って再調製フェーズを実施するために前記容器を手動で保持して振り動かす間に前記容器（３）の運動を測定する慣性測定手段（ＩＭ）が、前記容器（３）に取り付けられ、
前記慣性測定手段が、薬剤の再調製のための三次元的な薬剤再調製動作を記述する位置及び動的パラメータを測定し、
前記三次元的な薬剤再調製動作を分析することによって、作業者が手動で実施した１つ１つの動作を近似する基本動作を抽出する、請求項１〜５のいずれか１つに記載の制御方法。
【請求項７】
前記基本動作を合成することには、
ａ）各々の基本動作を繰り返す回数を設定すること、
ｂ）同時に実行される可能性のある２つ又は３つ以上の基本動作の同時実行を設定すること、
ｃ）連続する２つの基本動作間の中断を設定すること、及び
ｄ）基本動作のリスト全体を繰り返す回数を設定すること、のうちの少なくともいずれか１つが含まれる、請求項１〜６のいずれか１つに記載の制御方法。
【手続補正書】
【提出日】平成27年11月11日(2015.11.11)
【手続補正１】
【補正対象書類名】特許請求の範囲
【補正対象項目名】全文
【補正方法】変更
【補正の内容】
【特許請求の範囲】
【請求項１】
金属フレームワークと、ポリマー材料から形成された中間層によって分離されたガラス基材を含む合わせガラスを含むパネルとを含む曲げガラス張りモジュールの製造方法であって、該合わせガラスが組み立てられた後で、該パネルが該金属フレームワークの形状を成すようにする力によって該パネルを曲げ、次いでこの形状を保持手段によって保持する製造方法において、
該曲げを、該中間層が３０℃と８０℃の間の温度にある間に行うことを特徴とする、曲げガラス張りモジュールの製造方法。
【請求項２】
前記曲げを、前記中間層が４０℃を上回る温度にある間に行うことを特徴とする、請求項１に記載の方法。
【請求項３】
前記曲げを、前記中間層が７５℃未満の温度にある間に行うことを特徴とする、請求項１又は２に記載の方法。
【請求項４】
前記中間層は、曲げ加工中、ガラス転移温度よりも高い温度にあることを特徴とする、請求項１又は２に記載の方法。
【請求項５】
前記中間層はＰＶＢであることを特徴とする、請求項１から４までのいずれか１項に記載の方法。
【請求項６】
少なくとも１つのガラス基材が、強化ガラス板を含むことを特徴とする、請求項１から５までのいずれか１項に記載の方法。
【請求項７】
前記パネルの全てのガラス基材の全てのガラス板を強化することを特徴とする、請求項６に記載の方法。
【請求項８】
加熱エレメントを該パネルと並置することにより、前記パネルを加熱することを特徴とする、請求項１から７までのいずれか１項に記載の方法。
【請求項９】
前記加熱エレメントは加熱ブランケットであることを特徴とする、請求項８に記載の方法。
【請求項１０】
前記パネルは２つの異なる方向に沿って同時に曲げられることを特徴とする、請求項１から９までのいずれか１項に記載の方法。
【請求項１１】
前記曲げが１０〜１２０秒間にわたって持続することを特徴とする、請求項１から１０までのいずれか１項に記載の方法。
【請求項１２】
ポリマー材料から形成された中間層と、該中間層と並置されたガラス基材との間の界面に作用する剪断応力が２０℃で３ＭＰａ未満であるように、前記パネルを曲げることを特徴とする、請求項１から１１までのいずれか１項に記載の方法。
【請求項１３】
前記パネルが３ｍ2よりも大きい、場合によっては４ｍ2よりも大きい、場合によっては５ｍ2よりも大きい面積の主面を有することを特徴とする、請求項１から１２までのいずれか１項に記載の方法。
【請求項１４】
曲げを施して前記中間層を２０℃の温度に戻した後、ポリマー材料から形成された前記中間層と前記ガラス基材との間の界面に作用する剪断応力の状態を、前記パネルの主面に偏光フィルムを貼付することによって、そして次いで該パネル及び該フィルムを透過した色を表示することによって評価することを特徴とする、請求項１から１３までのいずれか１項に記載の方法。
【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
分裂促進因子活性化タンパク質キナーゼ(MAPK)経路阻害剤の治療的有効量と組み合わせてWnt経路阻害剤の治療的有効量を対象に投与する段階を含む、対象におけるがんを処置する方法。
【請求項２】
MAPK経路阻害剤の治療的有効量と組み合わせてWnt経路阻害剤の治療的有効量を対象に投与する段階を含む、対象における腫瘍成長を阻害する方法。
【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
式(I)の化合物又はその医薬として許容し得る塩及び/若しくは溶媒和物:
【化１】
2015502951.tif 000001
（式中、
Wは、CRaRb又はOであり;
WがCRaRbである場合、ZはCH2であり;
WがOである場合、ZはCF2であり;
Ra及びRbはCH3であるか、又は共にC3スピロシクロアルキルを形成し;
式中、WがCRaRbであり、ZがCH2であり、Ra及びRbがCH3である場合:
環Aは:
【化２】
2015502951.tif 000002
であり;
環Bは:
【化３】
2015502951.tif 000003
であり;
又は
環Aは:
【化４】
2015502951.tif 000004
であり;
環Bは:
【化５】
2015502951.tif 000005
であり;
式中、WがCRaRbであり、ZがCH2であり、Ra及びRbが共にC3スピロシクロアルキルを形成する場合:
環Aは:
【化６】
2015502951.tif 000006
であり;
環Bは:
【化７】
2015502951.tif 000007
であり;且つ
式中、WがOであり、ZがCF2である場合:
環Aは:
【化８】
2015502951.tif 000008
であり;
環Bは
【化９】
2015502951.tif 000009
である）。
【請求項２】
(5R)-5-エチル-5-メチル-3-[2-(7-メチルスピロ[2H-ベンゾフラン-3,1'-シクロプロパン]-4-イル)オキシピリミジン-5-イル]イミダゾリジン-2,4-ジオンである、請求項１記載の化合物:
【化１０】
2015502951.tif 000010
。
【請求項３】
(5R)-5-エチル-5-メチル-3-{2-[(3,3,7-トリメチル-2,3-ジヒドロ-1-ベンゾフラン-4-イル)オキシ]-5-ピリミジニル}-2,4-イミダゾリジンジオンである、請求項１記載の化合物:
【化１１】
2015502951.tif 000011
。
【請求項４】
(5R)-3-{2-[(2,2-ジフルオロ-7-メチル-1,3-ベンゾジオキソール-4-イル)オキシ]-5-ピリミジニル}-5-エチル-5-メチル-2,4-イミダゾリジンジオンである、請求項１記載の化合物:
【化１２】
2015502951.tif 000012
。
【請求項５】
5,5-ジメチル-3-[2-(7-メチルスピロ[2H-ベンゾフラン-3,1'-シクロプロパン]-4-イル)オキシピリミジン-5-イル]イミダゾリジン-2,4-ジオンである、請求項１記載の化合物:
【化１３】
2015502951.tif 000013
。
【請求項６】
(5R)-5-エチル-3-[2-(7-メチルスピロ[2H-ベンゾフラン-3,1'-シクロプロパン]-4-イル)オキシピリミジン-5-イル]イミダゾリジン-2,4-ジオンである、請求項１記載の化合物:
【化１４】
2015502951.tif 000014
。
【請求項７】
(5R)-5-エチル-3-[6-(7-メチルスピロ[2H-ベンゾフラン-3,1'-シクロプロパン]-4-イル)オキシ-3-ピリジル]イミダゾリジン-2,4-ジオンである、請求項１記載の化合物:
【化１５】
2015502951.tif 000015
。
【請求項８】
(5R)-5-エチル-3-{6-[(3,3,7-トリメチル-2,3-ジヒドロ-1-ベンゾフラン-4-イル)オキシ]-3-ピリジニル}-2,4-イミダゾリジンジオンである、請求項１記載の化合物:
【化１６】
2015502951.tif 000016
。
【請求項９】
(5R)-5-エチル-3-{2-[(3,3,7-トリメチル-2,3-ジヒドロ-1-ベンゾフラン-4-イル)オキシ]-5-ピリミジニル}-2,4-イミダゾリジンジオンである、請求項１記載の化合物:
【化１７】
2015502951.tif 000017
。
【請求項１０】
(5R)-5-エチル-5-メチル-3-[6-(7-メチルスピロ[2H-ベンゾフラン-3,1'-シクロプロパン]-4-イル)オキシ-3-ピリジル]イミダゾリジン-2,4-ジオンである、請求項１記載の化合物:
【化１８】
2015502951.tif 000018
。
【請求項１１】
5,5-ジメチル-3-[6-(7-メチルスピロ[2H-ベンゾフラン-3,1'-シクロプロパン]-4-イル)オキシ-3-ピリジル]イミダゾリジン-2,4-ジオンである、請求項１記載の化合物:
【化１９】
2015502951.tif 000019
。
【請求項１２】
医薬品として使用するための、請求項１〜１１のいずれか一項記載の化合物。
【請求項１３】
請求項１〜１１のいずれか一項記載の化合物を含む、聴覚障害、統合失調症、又は脆弱X症候群の予防又は治療のための医薬組成物。
【請求項１４】
聴覚障害、統合失調症、又は脆弱X症候群の予防又は治療のための医薬の製造における、請求項１〜１１のいずれか一項記載の化合物の使用。
【請求項１５】
聴覚障害の予防又は治療のための、請求項１２記載の使用するための化合物、請求項１３記載の医薬組成物、又は、請求項１４記載の使用。
【請求項１６】
前記聴覚障害が、60歳を超える成人の難聴（老人性難聴）又は耳鳴りである、請求項１５記載の使用するための化合物、医薬組成物、又は使用。
【請求項１７】
統合失調症の予防又は治療のための、請求項１２記載の使用するための化合物、請求項１３記載の医薬組成物、又は、請求項１４記載の使用。
【請求項１８】
脆弱X症候群の予防又は治療のための、請求項１２記載の使用するための化合物、請求項１３記載の医薬組成物、又は、請求項１４記載の使用。
【請求項１９】
下記から選択される化合物又はその塩:
7-メチルスピロ[2H-ベンゾフラン-3,1'-シクロプロパン]-4-オール(中間体13)
【化２０】
2015502951.tif 000020
;及び
3,3,7-トリメチル-2,3-ジヒドロ-1-ベンゾフラン-4-オール(中間体27)
【化２１】
2015502951.tif 000021
;及び
2,2-ジフルオロ-7-メチル-1,3-ベンゾジオキソール-4-オール(中間体37)
【化２２】
2015502951.tif 000022
。
【請求項２０】
下記から選択される化合物又はその塩:
6-(7-メチルスピロ[2H-ベンゾフラン-3,1'-シクロプロパン]-4-イル)オキシピリジン-3-アミン(中間体15)
【化２３】
2015502951.tif 000023
;及び
2-(7-メチルスピロ[2H-ベンゾフラン-3,1'-シクロプロパン]-4-イル)オキシピリミジン-5-アミン(中間体19)
【化２４】
2015502951.tif 000024
;及び
6-[(3,3,7-トリメチル-2,3-ジヒドロ-1-ベンゾフラン-4-イル)オキシ]-3-ピリジンアミン(中間体29)
【化２５】
2015502951.tif 000025
;及び
2-[(3,3,7-トリメチル-2,3-ジヒドロ-1-ベンゾフラン-4-イル)オキシ]-5-ピリミジンアミン(中間体33)
【化２６】
2015502951.tif 000026
。
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
香料含有オイルコアを取り囲み、カプセル化するポリマーシェルを含むコアシェルカプセルであって、カプセルの平均直径（Ｄ５０）が５〜２５０ミクロンであり、カプセルが、２ミリニュートン（ｍＮ）未満の破裂力のもとで、破裂し、コアに含まれる香料を放出するように適用されたものであり、香料含有オイルが、水との界面を形成することができ、オイル−水界面での界面張力が、５〜４０ミリニュートン（ｍＮ）であることを特徴とする、前記カプセル。
【請求項２】
界面重合のプロセスによって、香料含有オイル液滴のまわりのポリマーシェルの形成によって形成される、請求項１に記載のカプセル。
【請求項３】
ポリマーシェルが合成ポリマーから形成される、請求項１または２に記載のカプセル。
【請求項４】
ポリマーシェルが、ポリウレア、ポリアミド、または有機および無機モノマーまたはオリゴマーの混合物から形成されるハイブリッドポリマーである、請求項１〜３のいずれか一項に記載のカプセル。
【請求項５】
ポリマーシェルが、架橋されたものである、請求項１〜４のいずれか一項に記載のカプセル。
【請求項６】
消費者製品を香り付けするための、請求項１〜５のいずれか一項に記載のカプセルの使用。
【請求項７】
消費者製品の臭気物質特性を付与、促進、改善または改良する方法であって、請求項１〜５のいずれか一項に記載のカプセルを該製品に加えることを含む、前記方法。
【請求項８】
請求項１〜５のいずれか一項に記載のカプセルを含むヒトまたは動物の皮膚または髪を芳香させるための消費者製品。
【請求項９】
界面重合のプロセスによって香料含有オイル液滴の周りにポリマーシェルを形成する工程を含む、請求項１〜５のいずれか一項に記載のカプセルを形成する方法。
【請求項１０】
香料含有オイルが、水と界面を形成することができ、オイル−水界面での界面張力が、５〜３５ミリニュートン（ｍＮ）であるということに基づいて選択される、請求項９に記載の方法。
【請求項１１】
カプセル化される香料、および界面重合によるカプセルシェルの形成において反応物として好適な、モノマーまたはオリゴマーを含む、オイル相を形成する第一工程；
オイル相を水性連続相で分散または乳化させ、ここで分散または乳化された液滴が、形成されるカプセルの実質的なサイズである、第二の工程；
オイル相に含まれるモノマーまたはオリゴマーのための反応物として適するモノマーまたはオリゴマーを、分散または乳化する水性相に添加し、分散または乳化させたオイル相の周りにカプセルシェルを形成させる２つの成分間の界面反応を生じさせる、第三の工程
を含む、請求項９または１０に記載の方法。
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
式（Ｉ）で表される化合物。
【化１】
2015502963.tif 000001
［式中、Ｑは、式（Ｉ−１）、式（Ｉ−２）又は式（Ｉ−３）で表される二価基である。］
【化２】
2015502963.tif 000002
［式中、Ｌは、直鎖状アルキレン基である。］
【請求項２】
ａ）式（Ｉ）で表される第１のエポキシ化合物と、ｂ）硬化剤と、を含む、硬化性組成物。
【化３】
2015502963.tif 000003
［式中、Ｑは、式（Ｉ−１）、式（Ｉ−２）又は式（Ｉ−３）で表される二価基である。］
【化４】
2015502963.tif 000004
［式中、Ｌは、直鎖状アルキレン基である。］
【請求項３】
第１基材、及び前記第１基材に隣接して配置された硬化組成物を含む物品であって、
前記硬化組成物は、ａ）式（Ｉ）で表されるエポキシ化合物と、ｂ）硬化剤と、を含む硬化性組成物の反応生成物を含む、物品。
【化５】
2015502963.tif 000005
［式中、Ｑは、式（Ｉ−１）、式（Ｉ−２）又は式（Ｉ−３）で表される二価基である。］
【化６】
2015502963.tif 000006
［式中、Ｌは、直鎖状アルキレン基である。］
【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
７−［２−（５，８−ジメチル−［１，２，４］トリアゾロ［１，５−ａ］ピラジン−２−イル）−エチル］−２，３−ジヒドロ−［１，４］ジオキシノ［２，３−ｇ］キノリン、６−［２−（５，８−ジメチル−［１，２，４］トリアゾロ［１，５−ａ］ピラジン−２−イル）−エチル］−［１，３］ジオキソロ［４，５−ｇ］キノリン、２−［２−（５，８−ジメチル−［１，２，４］トリアゾロ［１，５−ａ］ピラジン−２−イル）−エチル］−６−フルオロ−キノリン、および２−［２−（５，８−ジメチル−［１，２，４］トリアゾロ［１，５−ａ］ピラジン−２−イル）−エチル］−７−フルオロ−キノリンからなる群から選択される化合物。
【請求項２】
医薬として使用される、請求項１に記載の化合物またはその薬学的に許容される塩。
【請求項３】
治療有効量の請求項１に記載の化合物と、薬学的に許容される担体、賦形剤または医薬品添加物とを含む医薬組成物。
【請求項４】
神経変性障害または精神障害の治療薬を製造するための、請求項１に記載の化合物またはその薬学的に許容される塩の使用。
【手続補正書】
【提出日】平成27年12月16日(2015.12.16)
【手続補正１】
【補正対象書類名】特許請求の範囲
【補正対象項目名】全文
【補正方法】変更
【補正の内容】
【特許請求の範囲】
【請求項１】
以下の式（Ｉ）の化合物またはその薬学的に許容される塩：
2015502973.tif 000001
。
【請求項２】
実質的に純粋な形の請求項１記載の化合物。
【請求項３】
１種または複数の薬学的に許容される希釈剤または担体と共に、請求項１または請求項２記載の化合物を含む薬学的組成物。
【請求項４】
１種または複数の薬学的に許容される希釈剤または担体と共に請求項１記載の式（Ｉ）の化合物を含む薬学的組成物であって、該式（Ｉ）の化合物は組成物のポリケチド含量の少なくとも９５％ｗ／ｗの量で該組成物中に存在する、薬学的組成物。
【請求項５】
ループスの処置に使用するための、請求項３記載の薬学的組成物。
【請求項６】
多発性硬化症の処置に使用するための、請求項３記載の薬学的組成物。
【請求項７】
有効量の請求項１または請求項２記載の化合物を含む、ループスまたは多発性硬化症を処置するための薬学的組成物。
【請求項８】
ループスまたは多発性硬化症を処置するための薬品を製造するための請求項１または請求項２記載の化合物の使用。
【請求項９】
以下の式（ＩＩ）のスターター酸を、ｒａｐＫ遺伝子またはそのホモログを除去または不活性化するように遺伝子改変したラパマイシン産生株に供給する工程を含む、請求項１記載の式（Ｉ）の化合物またはその薬学的に許容される塩を調製する方法：
2015502973.tif 000002
式中、Ｒ１はＨまたはアルキル基を表す。
【請求項１０】
（ｉ）以下の式（ＩＩ）のスターター酸を、ｒａｐＫ遺伝子またはそのホモログを除去または不活性化するように遺伝子改変したラパマイシン産生株に供給する工程と；（ｉｉ）式（Ｉ）の化合物またはその薬学的に許容される塩を単離および精製する工程とを含む、請求項２記載の実質的に純粋な形の式（Ｉ）の化合物またはその薬学的に許容される塩を調製する方法：
2015502973.tif 000003
式中、Ｒ１はＨまたはアルキル基を表す。
【手続補正２】
【補正対象書類名】明細書
【補正対象項目名】００７９
【補正方法】変更
【補正の内容】
【００７９】
本明細書において言及する全ての%値は、文脈上異なる解釈を要する場合を除き、%w/wである。
[本発明1001]
以下の式(I) の化合物またはその薬学的に許容される塩：
2015502973.tif 000004
。
[本発明1002]
実質的に純粋な形の本発明1001の化合物。
[本発明1003]
医薬として使用するための本発明1001または本発明1002の化合物。
[本発明1004]
1種または複数の薬学的に許容される希釈剤または担体と共に、本発明1001または本発明1002の化合物を含む薬学的組成物。
[本発明1005]
1種または複数の薬学的に許容される希釈剤または担体と共に本発明1001の式(I)の化合物を含む薬学的組成物であって、該式(I)の化合物は組成物のポリケチド含量の少なくとも95%w/wの量で該組成物中に存在する、薬学的組成物。
[本発明1006]
ループスの処置に使用するための本発明1001または本発明1002の化合物。
[本発明1007]
多発性硬化症の処置に使用するための本発明1001または本発明1002の化合物。
[本発明1008]
有効量の本発明1001または本発明1002の化合物を、それを必要とする対象に投与する工程を含む、ループスまたは多発性硬化症を処置する方法。
[本発明1009]
ループスまたは多発性硬化症を処置するための薬品を製造するための本発明1001または本発明1002の化合物の使用。
[本発明1010]
以下の式(II)のスターター酸を、rapK遺伝子またはそのホモログを除去または不活性化するように遺伝子改変したラパマイシン産生株に供給する工程を含む、本発明1001の式(I)の化合物またはその薬学的に許容される塩を調製する方法：
2015502973.tif 000005
式中、R1はHまたはアルキル基を表す。
[本発明1011]
(i)以下の式(II)のスターター酸を、rapK遺伝子またはそのホモログを除去または不活性化するように遺伝子改変したラパマイシン産生株に供給する工程と;(ii)式(I)の化合物またはその薬学的に許容される塩を単離および精製する工程とを含む、本発明1002の実質的に純粋な形の式(I)の化合物またはその薬学的に許容される塩を調製する方法：
2015502973.tif 000006
式中、R1はHまたはアルキル基を表す。
【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
下記式Iの化合物、又はそれらの医薬として許容し得る塩、錯体、若しくは互変異性体：
【化１】
2015502974.tif 000001
(式中：
R1、R3、及びR5は、Hであり；
R2は、CH2NH2であり；
R4は、環断片CH-O-Bの炭素原子に結合されたCH2OH基であり；かつ、
YはOである。）。
【請求項２】
前記キラル基CR1R2が、(S)-立体配置を有する、請求項1記載の化合物。
【請求項３】
前記キラル基CHR4が、(R)-立体配置を有する、請求項1記載の化合物。
【請求項４】
下記構造から選択される、請求項1〜3のいずれか一項記載の化合物：
【化２】
2015502974.tif 000002
。
【請求項５】
請求項1〜4のいずれか一項記載の化合物の治療的有効量を含む、哺乳類における微生物感染症の治療のための医薬組成物。
【請求項６】
前記化合物が、医薬組成物において、経口的に、非経口的に、経皮的に、局所的に、経直腸的に、又は鼻腔内的に、哺乳類へ投与される、請求項5記載の医薬組成物。
【請求項７】
前記微生物感染症が、グラム陰性菌、グラム陽性菌、又はマイコバクテリア感染症である、請求項5又は6記載の医薬組成物。
【請求項８】
前記微生物感染症が、緑膿菌(Pseudomonas aeruginosa)、アシネトバクター・バウマニ(Acinetobacter baumannii)、大腸菌(Escherichia coli)、及び肺炎桿菌(Klebsiela pneumoniae)から選択される微生物により引き起こされる、請求項5〜7のいずれか一項記載の医薬組成物。
【請求項９】
前記感染症が、皮膚、軟組織、呼吸器、又は眼の感染症である、請求項5〜8のいずれか一項記載の医薬組成物。
【請求項１０】
微生物緑膿菌及びアシネトバクター・バウマニに対する最小阻止濃度4μg/mL以下を有する、請求項1〜4のいずれか一項記載の化合物。
【請求項１１】
請求項1〜4のいずれか一項記載の化合物の治療的有効量及び医薬として許容し得る担体を含有する、医薬組成物。
【請求項１２】
治療に使用するための又は医薬として使用するための、請求項1〜4のいずれか一項記載の化合物。
【請求項１３】
微生物感染症の治療に使用するための、請求項1〜4のいずれか一項記載の化合物。
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
ペプチド部、N末端修飾基およびアルブミン結合部分からなり、ペプチド部が、ヒトインスリン中に存在しない少なくとも1つのジスルフィド結合を有する、N末端修飾インスリン。
【請求項２】
ペプチド部、N末端修飾基およびアルブミン結合部分からなり、ペプチド部が、2つ以上のシステイン置換を有し、ヒトインスリンの3つのジスルフィド結合が保持される、N末端修飾インスリン。
【請求項３】
システイン置換の部位が、ヒトインスリン中に存在しない1つまたは複数の追加のジスルフィド結合の形成を可能にするために、導入されたシステイン残基が、フォールディングされたN末端修飾インスリンの三次元構造に入るように選択され、N末端修飾インスリンが、同じペプチド部、同じN末端修飾基および同じアルブミン結合部分を有するが、ヒトインスリン中に存在しない任意のジスルフィド結合のないインスリンペプチドのインスリン受容体親和性を少なくとも5%有する、請求項1または2に記載のN末端修飾インスリン。
【請求項４】
修飾基が、親インスリンのN末端とコンジュゲートしている、1モル当たり200g未満の分子量(MW)を各々有する1つまたは2つの有機置換基である、請求項1から3のいずれか一項に記載のN末端修飾インスリン。
【請求項５】
修飾基が、式V(A-鎖N末端について例示されている):
【化１】
2015502971.tif 000001
または、グリシン残基が展開され、アルファ窒素が可視である、代替表示として:
【化２】
2015502971.tif 000002
中でY'およびZと指定され、Y'およびZが、インスリンペプチドのN末端アミノ酸と結合している、請求項1から4のいずれか一項に記載のN末端修飾インスリン。
【請求項６】
Y'およびZが、異なり、
Y'が、R-C(=X)-であり、
Zが、Hであり、
Rが、H、NH2、直鎖または分岐したC1〜C4アルキル、ジメチルアミノ、ジエチルアミノ、ジプロピルアミノ、ジメチルアンモニウム、ジエチルアンモニウムまたはジプロピルアンモニウムで置換されている直鎖または分岐したC2〜C4アルキル、CO2Hまたは-OCH2CO2H、C5〜C6シクロアルキル、置換C5〜C6シクロアルキル、5-または6員の飽和ヘテロシクリル、置換されている5-または6員の飽和ヘテロシクリルであり、
Xが、OまたはSである、請求項5に記載のN末端修飾インスリン。
【請求項７】
Y'およびZが、異なり、
Y'が、R-C(=X)-であり、
Zが、Hであり、
Rが、H、NH2、直鎖または分岐したC1〜C4アルキル、CO2Hまたは-OCH2CO2Hで置換されているC1〜C4アルキルであり、
Xが、Oである、請求項5または6に記載のN末端修飾インスリン。
【請求項８】
Y'およびZが、同じであり、メチルである、請求項5に記載のN末端修飾インスリン。
【請求項９】
N末端修飾基が、N,N-ジメチル、N,N-ジエチル、カルバモイル、ホルミル、アセチル、プロピオニル、ブチリル、グルタリル、およびジグリコリルからなる群から選択される、請求項1から8のいずれか一項に記載のN末端修飾インスリン。
【請求項１０】
システイン置換の位置が、A10CおよびB3Cである、請求項2から9のいずれか一項に記載のN末端修飾インスリン。
【請求項１１】
ペプチド部が、2つ以上のシステイン置換に加えて、A14E、B16H、B25H、desB27、およびdesB30からなる群から選択される1つまたは複数の置換アミノ酸を含む、請求項2から10のいずれか一項に記載のN末端修飾インスリン。
【請求項１２】
ペプチド部が、A10C、A14E、B3C、B16H、B25H、desB30ヒトインスリン;A10C、A14E、B3C、B25H、desB27、desB30ヒトインスリン;A10C、A14E、B3C、B25H、desB30ヒトインスリン;A10C、A14E、B3C、desB27、desB30ヒトインスリン;A10C、A14E、B3C、B16H、B25H、desB27、desB30ヒトインスリン;A10C、A14E、B16H、desB27、desB30ヒトインスリンからなる群から選択される、請求項1から11のいずれか一項に記載のN末端修飾インスリン。
【請求項１３】
アルブミン結合部分が、一般式Acy-AA1n-AA2m-AA3p-(式IV)
(式中、
nは、0、または1から3までの範囲の整数であり;
mは、0、または1から10までの範囲の整数であり;
pは、0、または1から10までの範囲の整数であり;
Acyは、14個から20個までの炭素原子を含む脂肪酸または脂肪二酸であり;
AA1は、中性の直鎖または環状のアミノ酸残基であり;
AA2は、酸性のアミノ酸残基であり;
AA3は、中性のアルキレングリコール含有アミノ酸残基であり;
AA1、AA2およびAA3が式中に現れる順序は、独立して交換することができ;AA2は、式に従って数回現れることができ(例えば、Acy-AA2-AA32-AA2-);AA2は、式に従って数回独立して(=異なって)現れることができ(例えば、Acy-AA2-AA32-AA2-);Acy、AA1、AA2および/またはAA3の間の連結は、形式的に、Acy、AA1、AA2およびAA3の各々からの水素原子またはヒドロキシル基(水)の除去により得ることができるアミド(ペプチド)結合であり;ペプチド部への結合は、式IVのアシル部分におけるAA1、AA2、またはAA3残基のC末端から、または式IVの部分に存在するAA2残基の側鎖のうちの1つからであってよい)
を有する、請求項1から12のいずれか一項に記載のN末端修飾インスリン。
【請求項１４】
A1(Nα,Nα-ジメチル)、A10C、A14E、B1(Nα,Nα-ジメチル)、B3C、B25H、desB27、B29K(Nεオクタデカンジオイル-gGlu-2xOEG)、desB30ヒトインスリン
A1(Nα,Nα-ジメチル)、A10C、A14E、B1(Nα,Nα-ジメチル)、B3C、B25H、B29K(Nεエイコサンジオイル-gGlu-2xOEG)、desB30ヒトインスリン
からなる群から選択される、請求項1から13のいずれか一項に記載のN末端修飾インスリン。
【請求項１５】
請求項1から14のいずれか一項に記載のN末端修飾インスリンを含む医薬組成物。
【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
下記一般式Ｉの化合物：
【化１】
2015502950.tif 000001
（式中、
−Ｘ＝ＮＨである場合、Ｒ１、Ｒ２、Ｒ３、Ｒ４はそれぞれ水素原子を表し、
−Ｘ＝Ｎである場合、コアは芳香族であり、かつ、
Ｒ２、Ｒ３およびＲ４は水素原子を表し、かつ、Ｒ１＝Ｈ、ハロゲン、アリール、ヘテロアリール、アルケニルまたはアセチレニルであるか、
あるいはＲ１、Ｒ２、Ｒ３、Ｒ４は、Ｒ１またはＲ２またはＲ３またはＲ４がメチル基を表すように定義され、かつ、他の３つの基が水素原子を表す）。
【請求項２】
前記化合物が、ニコチン酸３−（ドデカノイルオキシ）−２−ヒドロキシプロピルである、請求項１に記載の化合物。
【請求項３】
請求項１および２のいずれかに記載の式Ｉの化合物を含んでなる薬剤または化粧品。
【請求項４】
座瘡、脂漏性皮膚炎または男性型脱毛症の治療のための、請求項１および２のいずれかに記載の式Ｉの化合物を含んでなる薬剤。
【請求項５】
脂漏症（脂漏性病態）の治療のための、請求項１および２のいずれかに記載の式１の化合物の化粧品的使用。
【請求項６】
有効成分として請求項１および２に定義されるような式１の化合物を、少なくとも１種類の薬学的または化粧学的に許容可能な賦形剤とともに含んでなる、組成物。
【請求項７】
薬剤としての使用のための、請求項６に記載の組成物。
【請求項８】
座瘡、脂漏性皮膚炎または男性型脱毛症の治療における使用のための、請求項７に記載の組成物。
【請求項９】
脂漏症（脂漏性病態）の治療のための、請求項６に記載の組成物の化粧品的使用。